(57)【要約】【課題】分割構造とされ、かつ、主として一平面内で曲ることができるワイヤーハーネス保護部材において、収容空間の無駄スペースを削除してコンパクト化を図ることを目的とする。【解決手段】ワイヤーハーネス保護部材２０は、半筒状をなす蛇腹形状に形成された蛇腹形状部分を含む半筒状部３０と、半筒状部３０の一対の側縁部間の開口を閉塞する曲げ可能な板状部４０と、を備える。好ましくは、半筒状部３０と板状部４０とのうちの一方の側縁部に、板状部４０に直交する方向に沿って延在するロック部４４が設けられ、他方にロック部４４が係止可能な被ロック部（例えば、ロック孔部３８）が形成される。【選択図】図１
2015122927.tif 000002
【特許請求の範囲】
【請求項１】
半筒状をなす蛇腹形状に形成された蛇腹形状部分を含む半筒状部と、
前記半筒状部の一対の側縁部間の開口を閉塞する曲げ可能な板状部と、
を備えるワイヤーハーネス保護部材。
【請求項２】
請求項１記載のワイヤーハーネス保護部材であって、
前記半筒状部と前記板状部とのうちの一方の側縁部に、前記板状部に直交する方向に沿って延在するロック部が設けられ、他方に前記ロック部が係止可能な被ロック部が形成され、
前記ロック部は、前記側縁部から延出するロック延出部と、前記ロック延出部から前記側縁部から外方にはみ出るように突出するロック突部とを含む、ワイヤーハーネス保護部材。
【請求項３】
請求項２記載のワイヤーハーネス保護部材であって、
前記側縁部は、前記ロック部が設けられてない部分が前記ロック部が設けられた部分よりも外方に延出する凹凸形状に形成されている、ワイヤーハーネス保護部材。
【請求項４】
請求項２又は請求項３記載のワイヤーハーネス保護部材であって、
前記ロック部が前記板状部に設けられ、
前記被ロック部としてのロック孔部が前記蛇腹形状部分に設けられている、ワイヤーハーネス保護部材。
【請求項５】
請求項２又は請求項３記載のワイヤーハーネス保護部材であって、
前記ロック部が前記板状部に設けられ、
前記半筒状部は、前記蛇腹形状部分と、前記蛇腹形状部分の側縁部から外方に延出する板状縁部を含み、
前記被ロック部としてのロック孔部が、前記板状縁部に設けられている、ワイヤーハーネス保護部材。
【請求項６】
請求項５記載のワイヤーハーネス保護部材であって、
前記ロック孔部は、前記板状縁部のうち前記蛇腹形状部分において細くなる部分に形成されている、ワイヤーハーネス保護部材。
【請求項７】
請求項１〜請求項６のいずれか１つに記載のワイヤーハーネス保護部材と、
ワイヤーハーネスと、
を備え、
前記半筒状部内に前記ワイヤーハーネスが収容された状態で前記半筒状部と前記板状部とが合体している、保護部材付ワイヤーハーネス。
【発明の詳細な説明】
【技術分野】
【０００１】
この発明は、ワイヤーハーネスを保護する技術に関する。
【背景技術】
【０００２】
特許文献１に開示のハーネス用外装部材は、２つのハーネス保護部材に２分割された構成とされている。各ハーネス保護部材は、半筒状でかつ蛇腹状に形成されている。そして、２つのハーネス保護部材間にワイヤーハーネスを収容した状態で、それら２つのハーネス保護部材が組合わされる。
【０００３】
このようなハーネス保護用外装部材は、２つのハーネス保護部材内にワイヤーハーネスを容易に収容することができる。また、このハーネス用保護部材は、いずれか一方のハーネス保護部材を内側とする方向に曲ることができる。
【先行技術文献】
【特許文献】
【０００４】
【特許文献１】特開２００４−２４８３６７号公報
【発明の概要】
【発明が解決しようとする課題】
【０００５】
ところで、特許文献１に開示のハーネス用外装部材において、２つのハーネス保護部材空間一杯にワイヤーハーネスを収容しようとすると、２つのハーネス保護部材を組合わせる際に、ワイヤーハーネスの一部が２つのハーネス保護部材間に挟まれる恐れがある。これを避けるためには、ワイヤーハーネスを、一方のハーネス保護部材内に収る程度の太さとすることが実用的である。
【０００６】
とすると、ワイヤーハーネス用外装部材内空間が無駄となり、また、実際に収容に適したワイヤーハーネスの太さに比べて、ワイヤーハーネス用外装部材が太くなり過ぎてしまう。
【０００７】
そこで、本発明は、分割構造とされ、かつ、主として一平面内で曲ることができるワイヤーハーネス保護部材において、収容空間の無駄スペースを削除してコンパクト化を図ることを目的とする。
【課題を解決するための手段】
【０００８】
上記課題を解決するため、第１の態様に係るワイヤーハーネス保護部材は、半筒状をなす蛇腹形状に形成された蛇腹形状部分を含む半筒状部と、前記半筒状部の一対の側縁部間の開口を閉塞する曲げ可能な板状部と、を備える。
【０００９】
第２の態様は、第１の態様に係るワイヤーハーネス保護部材であって、前記半筒状部と前記板状部とのうちの一方の側縁部に、前記板状部に直交する方向に沿って延在するロック部が設けられ、他方に前記ロック部が係止可能な被ロック部が形成され、前記ロック部は、前記側縁部から延出するロック延出部と、前記ロック延出部から前記側縁部から外方にはみ出るように突出するロック突部とを含むものである。
【００１０】
第３の態様は、第２の態様に係るワイヤーハーネス保護部材であって、前記側縁部は、前記ロック部が設けられてない部分が前記ロック部が設けられた部分よりも外方に延出する凹凸形状に形成されているものである。
【００１１】
第４の態様は、第２又は第３の態様に係るワイヤーハーネス保護部材であって、前記ロック部が前記板状部に設けられ、前記被ロック部としてのロック孔部が前記蛇腹形状部分に設けられているものである。
【００１２】
第５の態様は、第２又は第３の態様に係るワイヤーハーネス保護部材であって、前記ロック部が前記板状部に設けられ、前記半筒状部は、前記蛇腹形状部分と、前記蛇腹形状部分の側縁部から外方に延出する板状縁部を含み、前記被ロック部としてのロック孔部が、前記板状縁部に設けられているものである。
【００１３】
第６の態様は、第５の態様に係るワイヤーハーネス保護部材であって、前記ロック孔部は、前記板状縁部のうち前記蛇腹形状部分において細くなる部分に形成されているものである。
【００１４】
第７の態様は、第１〜第６のいずれか１つの態様に係るワイヤーハーネス保護部材と、ワイヤーハーネスと、を備え、前記半筒状部内に前記ワイヤーハーネスが収容された状態で前記半筒状部と前記板状部とが合体しているものである。
【発明の効果】
【００１５】
第１〜第７の態様によると、ワイヤーハーネス保護部材は、半筒状部と板状部との分割構造とされている。また、半筒状部の開口を板状部で塞ぐように、半筒状部に板状部を取付けた状態で、ワイヤーハーネス保護部材は、主として、半筒状部の軸方向を通りかつ板状部と直交する一主面内で曲ることができる。また、ワイヤーハーネスを半筒状部の収容空間内一杯に収容した状態でも、ワイヤーハーネスは半筒状部からはみ出し難く、従って、ワイヤーハーネスを半筒状部と板状部との間で挟込み難い。このため、収容に適したワイヤーハーネスの太さを、半筒状部と板状部との間の収容空間と同程度とすることが可能となり、収容空間の無駄スペースを削除して、構成のコンパクト化を図ることができる。
【００１６】
第２の態様によると、ロック突部は、前記側縁部から外方にはみ出るように突出しているため、ロック部を容易に成形できる。
【００１７】
第３の態様によると、半筒状部の側縁部と板状部の側縁部とをなるべく多くの領域で重ね合せて、それらの間からの砂塵等の侵入を抑制することができる。
【００１８】
第４の態様によると、前記被ロック部としてのロック孔部が前記蛇腹形状部分に設けられているため、半筒状部に対して、半筒状部と板状部との合体構造を維持するための特別な構造を作り込む必要がなくなる。これにより、半筒状部が蛇腹形状による曲げ容易な性質を容易に維持でき、ワイヤーハーネス保護部材としても曲げ容易な構成とすることができる。
【００１９】
第５の態様によると、板状縁部と板状部の側縁部とを重ね合せることで、それらの間からの砂塵等の侵入を抑制することができる。
【００２０】
第６の態様によると、板状縁部のうち前記蛇腹形状部分において細くなる部分を比較的幅広に形成できる。そこで、前記ロック孔部を、前記板状縁部のうち前記蛇腹形状部分において細くなる部分に形成することで、板状縁部をなるべく細幅に形成しつつ、当該板状縁部にロック孔部を形成することができ、ワイヤーハーネス保護部材の小型化が可能となる。
【図面の簡単な説明】
【００２１】
【図１】第１実施形態に係る保護部材付ワイヤーハーネスを示す概略斜視図である。
【図２】図１の部分拡大図である。
【図３】ワイヤーハーネス保護部材を示す分解斜視図である。
【図４】ワイヤーハーネス保護部材を示す分解斜視図である。
【図５】図４の部分拡大図である。
【図６】板状部を金型成型する例を示す説明図である。
【図７】ワイヤーハーネス保護部材内にワイヤーハーネスを収容する工程を示す図である。
【図８】ワイヤーハーネス保護部材内にワイヤーハーネスを収容する工程を示す図である。
【図９】保護部材付ワイヤーハーネスの適用例を示す説明図である。
【図１０】第２実施形態に係る保護部材付ワイヤーハーネスを示す概略斜視図である。
【図１１】図１０の部分拡大図である。
【図１２】保護部材付ワイヤーハーネスの部分概略斜視図である。
【図１３】ワイヤーハーネス保護部材を示す分解斜視図である。
【図１４】図１３の部分拡大図である。
【発明を実施するための形態】
【００２２】
｛第１実施形態｝
以下、第１実施形態に係るワイヤーハーネス保護部材及び保護部材付ワイヤーハーネスについて説明する。図１は保護部材付ワイヤーハーネス１０を示す概略斜視図であり、図２は図１の部分拡大図であり、図３及び図４はワイヤーハーネス保護部材２０を示す分解斜視図であり、図５は図４の部分拡大図である。なお、図３では板状部４０は、上下反転して示されている。
【００２３】
保護部材付ワイヤーハーネス１０は、ワイヤーハーネス１２と、ワイヤーハーネス保護部材２０とを備える。
【００２４】
ワイヤーハーネス１２は、複数の電線１４（図８参照）が束ねられた構成とされている。複数の電線１４は、ワイヤーハーネス保護部材２０内に収容される前に粘着テープ等で結束されていてもよいし、ばらばらな状態でワイヤーハーネス保護部材２０内に収容されてもよい。ワイヤーハーネス１２は、ワイヤーハーネス保護部材２０から延出する部分で複数に分岐されていてもよい。ワイヤーハーネス１２は、光ファイバコードを含んでいてもよい。
【００２５】
各電線１４の端部には、端子等が接続され、当該端子がコネクタ内に収容されている。これにより、ワイヤーハーネス１２の各端部にコネクタが接続されている。そして、本ワイヤーハーネス保護部材２０が車両に組込まれた状態で、各コネクタが他の電気機器に接続されることで、当該各種電気機器が本ワイヤーハーネス１２を通じて電気的に接続される。
【００２６】
ワイヤーハーネス保護部材２０は、半筒状部３０と、板状部４０とを備える。
【００２７】
半筒状部３０は、半筒状をなす蛇腹形状部分を含む形状に形成されている。より具体的には、半筒状部３０は、ＰＰ（ポリプロピレン）等の樹脂等によって形成された部材であり、全体として半円筒をなす形状に形成されている。また、半筒状部３０は、小径部３２と大径部３４とが、半筒状部３０の軸方向に沿って連結部３６を介して交互に連なる形状とされている。小径部３２は、半環状をなしており、大径部３４も半環状をなしている。大径部３４の曲率半径は、小径部３２の曲率半径よりも大きく設定されており、それらの間の段差を埋めるように半環状の連結部３６によって連結した構成とされている。
【００２８】
本半筒状部３０自体は、小径部３２及び大径部３４と連結部３６との連結部分及び連結部３６を弾性変形させることによって、半筒状部３０の軸に対して直交する各種方向に曲げることができる。もっとも、半筒状部３０は、半筒状をなしているため、その軸方向に対して、半筒状部３０の側縁部を結ぶ平面に沿った方向よりも当該平面に対して直交する方向において容易に曲ることができる。
【００２９】
なお、本実施形態では、半筒状部３０の側縁部には、後述する第２実施形態とは異なり板状縁部１３９は形成されておらず、従って、上記小径部３２，連結部３６及び大径部３４が連なる蛇腹形状部分のみを有する形状を呈している。
【００３０】
板状部４０は、半筒状部３０の一対の側縁部間の開口を閉塞可能でかつ曲げ可能な板状に形成されている。
【００３１】
より具体的には、板状部４０は、ＰＰ（ポリプロピレン）等の樹脂等で形成された細長方形板状部材に形成されている。
【００３２】
板状部４０の長さ寸法は、半筒状部３０の長さ寸法と同じに設定されている。もっとも、板状部の長さ寸法は、半筒状部の長さ寸法とは異なっていてもよい。
【００３３】
板状部４０の幅寸法は、半筒状部３０の一対の側縁部間の寸法と同じに設定されている。板状部４０と半筒状部３０との隙間から電線１４がはみ出ないようにするためには、板状部４０の幅寸法は、半筒状部３０の一対の側縁部内側部分間の最小寸法（つまり、小径部３２の内径寸法）よりも大きく設定されていることが好ましい。また、板状部４０が半筒状部３０の外方にはみ出ないようにするためには、板状部４０の幅寸法は、半筒状部の一対の側縁部外側部分間の最大寸法（つまり、大径部３４の外径寸法）よりも小さく設定されることが好ましい。本実施形態では、板状部４０の幅寸法は、後述するロック孔部の位置及びこれに係止すべきロック部４４の形成位置等を考慮して決定される。
【００３４】
上記半筒状部３０と板状部４０とは、それらの一方に設けられたロック部４４と、それらの他方に設けられたロック孔部３８とが係止し合うことで、合体状態が維持される。
【００３５】
ここでは、板状部４０にロック部４４が設けられている。より具体的には、板状部４０の両側縁部は、直線状形状に形成されている。板状部４０の一対の側縁部のそれぞれにおいて、その延在方向に間隔をあけて複数のロック部４４が設けられている。
【００３６】
ロック部４４は、全体として、板状部４０に対して直交する方向に沿って延在しており、板状部４０の一方主面側（半筒状部３０側）に突出している。ロック部４４は、ロック延出部４５と、ロック突部４６とを備える。
【００３７】
ロック延出部４５は、板状部４０の側縁部から当該板状部４０に対して直交する方向に延出する長尺形状、より具体的には、角柱形状に形成されている。
【００３８】
ロック延出部４５のうち外向き面は、側縁部の外向き面と一致している。また、ロック突部４６は、ロック延出部４５の先端部のうち外向き面から板状部４０の側方外側にはみ出るように突出している。ロック突部４６のうちロック延出部４５の先端側の面は、ロック延出部４５の基端側に向けて外向き傾斜する形状に形成されている。また、ロック突部４６のうちロック延出部４５の基端側の面は、ロック延出部４５に対して直交しかつロック延出部４５の基端側に向く面に形成されている。
【００３９】
従って、板状部４０をその他方主面側から投影視すると、ロック延出部４５は板状部４０の側縁部内に収っており、ロック突部４６は板状部４０の側縁部から外方にはみ出すように観察される。
【００４０】
このため、板状部４０及びロック部４４を、溶融した樹脂を金型内に流し込んで一体的に金型成型する際には、それらを比較的簡単な金型によって形成できる。すなわち、図６に示すように、主として板状部４０の一方主面側に向く面を形成する金型５０（図６で下側の金型）と、板状部４０の他方主面側を向く面を形成する金型５５（図６で上側の金型）とを用いる場合を想定する。この場合、金型５０、５５の離型方向等を考慮すると、上記板状部４０及びロック部４４の表面には、アンダーカットとなる部分は表れない。すなわち、当該金型５０、５５とでロック延出部４５を成型でき、また、ロック突部４６のうち先端側の面を金型５０によって、基端側の面を金型５５によって成型できる。
【００４１】
このため、スライド金型等を用いなくても、本板状部４０を容易に金型成型できることになる。
【００４２】
図１〜図５に戻って、半筒状部３０には、上記ロック部４４が係止可能な被ロック部としてロック孔部３８が形成されている。
【００４３】
ここでは、ロック孔部３８は、半筒状部３０のうち蛇腹形状をなす部分に設けられている。より具体的には、半筒状部３０のうち上記各ロック部４４に対応する位置であって、大径部３４の両側縁から内側よりの位置にロック孔部３８が形成されている。ロック孔部３８は、ここでは、角孔状に形成されている。より具体的には、半筒状部３０及び板状部４０を重ねた状態で、板状部４０の他方主面側から投影視すると、当該ロック孔部３８は、上記ロック部４４を挿通可能な程度の大きさに形成され、さらに、ロック延出部４５が通過可能でかつロック突部４６が当接する位置に形成されている。
【００４４】
そして、各ロック部４４を、対応する各ロック孔部３８に挿入すると、ロック部４４が内側に弾性変形しつつロック突部４６がロック孔部３８を越える。そして、当該ロック突部４６がロック孔部３８に対して半筒状部３０の外側から抜止め係止する。この状態で、板状部４０の両側縁部と半筒状部３０の両側縁部とが接触した状態で、板状部４０が半筒状部３０の両縁部間の開口を塞ぐようになる。
【００４５】
本ワイヤーハーネス保護部材２０内にワイヤーハーネス１２を収容する作業例について説明する。
【００４６】
まず、図７に示すように、半筒状部３０内にワイヤーハーネス１２を構成する複数の電線１４を収容する。電線１４は、半筒状部３０に対してその両側縁部を結ぶ開口を越えない程度、換言すれば、半筒状部３０内の半円柱状空間内に収る範囲内で収容されていることが好ましい。
【００４７】
そして、図８に示すように、半筒状部３０の開口に板状部４０を被せ、各ロック部４４を対応する各ロック孔部３８に差込む。そして、ロック突部４６がロック孔部３８を越えると、ロック突部４６がロック孔部３８に抜止め係止し、板状部４０が半筒状部３０の両側縁部間の開口を塞いだ状態で、半筒状部３０に取付けられる。
【００４８】
なお、必要に応じて、半筒状部３０及び板状部４０に粘着テープ等が巻付けられていてもよい。
【００４９】
このように構成されたワイヤーハーネス保護部材２０及び保護部材付ワイヤーハーネス１０は、板状部４０によってその曲げ方向が規制される。即ち、本ワイヤーハーネス保護部材２０及び保護部材付ワイヤーハーネス１０は、板状部４０に対して直交する方向Ｐ（図１参照）に対して容易に曲がることができる一方、板状部４０の幅方向に対しては曲り難い。このため、ワイヤーハーネス保護部材２０及び保護部材付ワイヤーハーネス１０は、ワイヤーハーネス１２を、主として１つの平面上で曲るように規制するものとして用いるのに適する。また、上記ワイヤーハーネス保護部材２０及び保護部材付ワイヤーハーネス１０は、板状部４０を内側とする方向に曲り易い。このため、主として１つの平面上でかつ一方向に曲り易いように規制する用途にも適している。
【００５０】
図９は、本保護部材付ワイヤーハーネス１０の適用例を示す説明図である。図９では、保護部材付ワイヤーハーネス１０が、スライドドアに適用されるドア用配線装置２２０に適用された例を示している。
【００５１】
このドア用配線装置２２０は、車体２００と、車体２００の一側部に設けられたスライドドア２０２との間の配線装置として用いられる。このドア用配線装置２２０は、スライドドア２０２に組込まれるスライドドア内導電経路装置２３０と、スライドドア２０２と車体２００との間に設けられるスライドドア車体間ワイヤーハーネス２５２とを備えている。
【００５２】
スライドドア内導電経路装置２３０は、スライドドア内導電路としてのスライドドア内ワイヤーハーネス２３２と、スライドガイドユニット２４０と、スライダ部材２４６とを備える。
【００５３】
上記スライドドア内ワイヤーハーネス２３２は、複数の電線を含んでおり、複数の電線自体は屈曲可能な線状材とされている。このスライドドア内ワイヤーハーネス２３２のうちスライドドア２０２側の端部は、コネクタ、他のワイヤーハーネス、電線等を介してスライドドア側の電装品に電気的に接続される。
【００５４】
スライドガイドユニット２４０は、スライドドア２０２に車両前後方向に沿って取付固定される部材であり、スライダ部材２４６はこのスライドガイドユニット２４０によって移動可能に支持される部材である。上記スライドドア内ワイヤーハーネス２３２の他方の端部は、スライドガイドユニット２４０を経由してスライドドア車体間ワイヤーハーネス２５２に接続されている。
【００５５】
スライドドア車体間ワイヤーハーネス２５２は、複数の電線を含んでおり、複数の電線自体は上記スライドドア内ワイヤーハーネス２３２と同様に自在に屈曲可能な線状材とされている。このスライドドア車体間ワイヤーハーネス２５２の一端部は、上記スライドガイドユニット２４０に連結され、その他端部は、車体２００に導かれて、車体側のワイヤーハーネス又は電気部品に接続されている。
【００５６】
このスライドドア用導電経路装置では、スライドドア２０２を閉位置Ｐ１と開位置Ｐ２との間で開閉すると、スライダ部材２４６が、スライドドア車体間ワイヤーハーネス２５２により車両前方又は後方に引張られるため、当該スライダ部材２４６がガイドレール部２４２の延在方向に沿って往復移動する。
【００５７】
スライドドア内ワイヤーハーネス２３２は、ガイドレール部２４２の延在方向を含む鉛直平面内で、Ｊ字状に曲った状態となっているが、スライダ部材２４６の往復移動に伴って、その曲げ箇所が変更される。そこで、本スライドドア内ワイヤーハーネス２３２として、上記保護部材付ワイヤーハーネス１０と同様構成のものを採用することで、スライドドア内ワイヤーハーネス２３２が主としてガイドレール部２４２の延在方向を含む鉛直平面内でＪ字状をなす方向に曲るように規制することができ、スライドドア内ワイヤーハーネス２３２と周辺部材との干渉を抑制することができる。
【００５８】
また、スライドドア車体間ワイヤーハーネス２５２の曲げ状態も、スライダ部材２４６の移動に伴い変更する。このため、スライドドア車体間ワイヤーハーネス２５２としても、上記保護部材付ワイヤーハーネス１０と同様構成のものを採用することで、スライドドア車体間ワイヤーハーネス２５２が主として水平面内において所定の曲げ方向に曲るように規制することができる。
【００５９】
このように、本ワイヤーハーネス保護部材２０及び保護部材付ワイヤーハーネス１０は、相対移動する２つの部材間に配設されるワイヤーハーネス等、曲げ規制を行うことが好ましいとされる場合に適する。
【００６０】
以上のように構成されたワイヤーハーネス保護部材２０及び保護部材付ワイヤーハーネス１０によると、ワイヤーハーネス保護部材２０は、半筒状部３０と板状部４０との分割構造とされており、半筒状部３０の開口を板状部４０で塞ぐように、半筒状部３０に板状部４０を取付けた状態で、ワイヤーハーネス保護部材２０は、主として、半筒状部３０の軸方向を通りかつ板状部４０と直交する一主面内で容易に曲ることができる。
【００６１】
また、ワイヤーハーネス１２を、半筒状部３０の収容空間内一杯に収容した状態でも、ワイヤーハーネス１２は半筒状部３０からはみ出し難く、従って、ワイヤーハーネス１２を半筒状部３０と板状部４０との間で挟込み難い。このため、収容に適したワイヤーハーネス１２の太さ（電線１４の本数）を、半筒状部３０と板状部４０との間の収容空間と同程度とすることが可能となり、収容空間の無駄スペースを削除して、構成のコンパクト化を図ることができ、また、質量低減も可能となる。
【００６２】
なお、半筒状部３０の内部空間よりも、ワイヤーハーネス１２の太さの方が小さくてもよい。
【００６３】
また、ロック突部４６は、板状部４０の側縁部から外方にはみ出るように突出しているため、当該ロック突部４６を含むロック部４４を、板状部４０の両面を形成するための金型によって容易に金型成型できる。このため、板状部４０を、スライド金型等を用いなくても比較的簡易な構成の金型装置によって金型成型できる。
【００６４】
また、ロック孔部３８が半筒状部３０のうち蛇腹形状をなす部分に設けられているため、半筒状部３０に対して、半筒状部と板状部との合体構造を維持するための特別な構造を作り込む必要がなくなる。特に、半筒状部３０の側縁部自体も凹凸が連続する形状とすることができ、当該側縁部自体を伸縮させることができるため、半筒状部３０を容易に曲げ変形させることができる。これにより、半筒状部３０が蛇腹形状による曲げ容易な性質を容易に維持でき、板状部４０と合体したワイヤーハーネス保護部材２０としても曲げ容易な構成とすることができる。
【００６５】
また、被ロック部がロック孔部３８として形成されているため、ロック部４４がロック孔部３８から抜け難いという利点もある。
【００６６】
｛第２実施形態｝
第２実施形態に係るワイヤーハーネス保護部材及び保護部材付ワイヤーハーネスについて説明する。図１０は保護部材付ワイヤーハーネス１１０を示す概略斜視図であり、図１１は図１０の部分拡大図であり、図１２は保護部材付ワイヤーハーネス１１０の部分概略斜視図であり、図１３はワイヤーハーネス保護部材１２０を示す分解斜視図であり、図１４は図１３の部分拡大図である。
【００６７】
保護部材付ワイヤーハーネス１１０は、ワイヤーハーネスと、ワイヤーハーネス保護部材１２０とを備える。
【００６８】
ワイヤーハーネスは、上記第１実施形態におけるワイヤーハーネス１２と同様構成であり、ワイヤーハーネス保護部材１２０内に収容されている。本実施形態では、ワイヤーハーネスについての説明は省略する。
【００６９】
ワイヤーハーネス保護部材１２０は、半筒状部１３０と、板状部１４０とを備える。
【００７０】
半筒状部１３０は、ＰＰ（ポリプロピレン）等の樹脂等によって形成された部材であり、蛇腹形状部分１３１と、蛇腹形状部分１３１の両側縁部から外方に延出する板状縁部１３９とを備える。
【００７１】
蛇腹形状部分１３１は、上記半筒状部３０と同形状、即ち、半筒状をなす蛇腹形状に形成されている。即ち、蛇腹形状部分１３１は、小径部３２に対応する小径部１３２と大径部３４に対応する大径部１３４とが、蛇腹形状部分１３１の軸方向に沿って、連結部３６に対応する連結部１３６を介して交互に連なる形状とされている。
【００７２】
板状縁部１３９は、蛇腹形状部分１３１の両側縁部から外方に延出する細板形状に形成されている。板状縁部１３９の内側縁部は、蛇腹形状部分１３１の側縁部の外側形状に沿って波打つ形状を呈しており、板状縁部１３９の外側縁部は、蛇腹形状部分１３１の軸方向に沿って直線的に延在する形状を呈している。従って、板状縁部１３９のうち小径部１３２に対応する部分は、大径部１３４に対応する部分よりも太幅に形成されている。
【００７３】
かかる半筒状部１３０のうち蛇腹形状部分１３１自体は、その軸方向に対して、蛇腹形状部分１３１の側縁部を結ぶ平面に沿った方向よりも当該平面に対して直交する方向において容易に曲ることができる。また、板状縁部１３９も、その延在方向に対して直交する方向において容易に曲ることができる。このため、半筒状部１３０全体としてみても、半筒状部１３０の側縁部を結ぶ平面に沿った方向よりも当該平面に対して直交する方向において容易に曲ることができる。
【００７４】
板状部１４０は、半筒状部１３０の一対の側縁部間の開口を閉塞可能でかつ曲げ可能な板状に形成されている。
【００７５】
より具体的には、板状部１４０は、ＰＰ（ポリプロピレン）等の樹脂等で形成された細長方形板状部材に形成されている。
【００７６】
板状部１４０の長さ寸法は、半筒状部１３０の長さ寸法と同じに設定されている。もっとも、板状部の長さ寸法は、半筒状部の長さ寸法とは異なっていてもよい。
【００７７】
板状部１４０の幅寸法は、半筒状部１３０の一対の側縁部間の寸法と同じに設定されている。ここでは、板状部１４０の幅寸法は、半筒状部１３０の一対の板状縁部１３９の外側縁部間の寸法と同程度に設定されている。このため、板状部１４０の両側縁部を一対の板状縁部１３９の全体に重ね合せた状態で、板状部１４０が半筒状部１３０の上記開口を閉塞するように半筒状部１３０に取付けられる。
【００７８】
上記半筒状部１３０と板状部１４０とは、それらの一方に設けられたロック部１４４と、それらの他方に設けられたロック孔部１３８とが係止し合うことで、合体状態が維持される。
【００７９】
ここでは、板状部１４０にロック部１４４が設けられている。より具体的には、板状部１４０の一対の側縁部のそれぞれにおいて、その延在方向に間隔をあけて複数のロック部１４４が設けられている。より具体的には、板状部１４０の両側縁部のそれぞれにおいて、その延在方向に間隔をあけて凹部１４１が形成されている。板状部１４０の側縁部うち凹部１４１が形成された部分にロック部１４４が形成されている。即ち、板状部１４０の側縁部は、ロック部１４４が設けられていない部分がロック部１４４が設けられた部分よりも外方に延出する凹凸形状に形成されている。なお、半筒状部側にロック部を設けた場合には、当該半筒状部側の板状縁部の外側の側縁部をこれと同様の凹凸形状に形成してもよい。
【００８０】
ロック部１４４は、全体として、板状部１４０に対して直交する方向に沿って延在しており、板状部１４０の一方主面側（半筒状部１３０側）に突出している。ロック部１４４は、ロック延出部１４５と、ロック突部１４６とを備える。
【００８１】
ロック延出部１４５は、板状部１４０の側縁部から当該板状部１４０に対して直交する方向に延出する長尺形状、より具体的には、角柱形状に形成されている。
【００８２】
ロック延出部１４５のうち外向き面は、側縁部のうち凹部１４１が形成された部分の外向き面と一致している。また、ロック突部１４６は、ロック延出部１４５の先端部のうち外向き面から板状部１４０の側方部分のうち凹部１４１が形成された部分から外側にはみ出るように突出している。ロック突部１４６のうちロック延出部１４５の先端側の面は、ロック延出部１４５の基端側に向けて外向き傾斜する形状に形成されている。また、ロック突部１４６のうちロック延出部１４５の基端側の面は、ロック延出部１４５に対して直交しかつロック延出部１４５の基端側に向く面に形成されている。
【００８３】
従って、板状部１４０をその他方主面側から投影視すると、ロック延出部１４５は板状部１４０の側縁部のうち凹部１４１が形成された部分内に収っており、ロック突部１４６は板状部１４０の側縁部のうち凹部１４１が形成された部分から外方にはみ出すように観察される。板状部１４０の側縁部のうち凹部１４１が形成された部分以外の部分は、外方に突出している。この部分を板状縁部１３９に重ね合せることで、板状部１４０の側縁部と板状縁部１３９とをなるべく大きな接触面積で重ね合せることができ、それらの間を通った砂塵の侵入を有効に抑制できる。
【００８４】
このため、板状部１４０及びロック部１４４を、溶融した樹脂を金型内に流し込んで一体的に金型成型する際には、第１実施形態の場合と同様に、スライド金型等を用いなくても、それらを比較的簡単な金型によって形成できる。
【００８５】
半筒状部１３０には、上記ロック部１４４が係止可能な被ロック部としてロック孔部１３８が形成されている。
【００８６】
ここでは、ロック孔部１３８は、板状部１４０に形成されている。より具体的には、ロック孔部１３８は、板状縁部１３９のうち各ロック部１４４に対応する位置であって、蛇腹形状部分１３１において細くなる部分、即ち、小径部１３２に対応する位置に形成されている。このため、板状縁部１３９の全体的な幅をそれ程大きくしなくても、ロック部１４４を係止可能なロック孔部１３８を当該板状縁部１３９に形成することができる。
【００８７】
ロック孔部１３８は、ここでは、角孔状に形成されている。より具体的には、半筒状部１３０及び板状部１４０を重ねた状態で、板状部１４０の外側から観察すると、当該ロック孔部１３８は、上記ロック部１４４を挿通可能な程度の大きさに形成され、さらに、ロック延出部１４５が通過可能でかつロック突部１４６が当接する位置に形成されている。
【００８８】
そして、各ロック部１４４を、対応する各ロック孔部１３８に挿入すると、ロック突部１４６がロック孔部１３８を越えた状態で、当該ロック突部１４６がロック孔部１３８に対して板状縁部１３９の下側から抜止め係止する。この状態で、板状部１４０の両側縁部と半筒状部１３０の両板状縁部１３９とが接触した状態で、板状部１４０が半筒状部１３０の両側縁部間の開口を塞ぐようになる。
【００８９】
本ワイヤーハーネス保護部材１２０は、上記第１実施形態と同様にして、ワイヤーハーネス１２を収容した状態で当該ワイヤーハーネス１２に取付けられる。
【００９０】
このように構成されたワイヤーハーネス保護部材１２０及び保護部材付ワイヤーハーネス１１０は、上記第１実施形態と同様に、板状部１４０に対して直交する方向に対して容易に曲がることができる一方、板状部１４０の幅方向に対しては曲り難い。このため、ワイヤーハーネス保護部材１２０及び保護部材付ワイヤーハーネス１１０は、ワイヤーハーネス１２を、主として１つの平面上で曲るように規制するものとして用いるのに適する。また、上記第１実施形態と同様に、主として１つの平面上でかつ一方向に曲り易いように規制する用途にも適している。
【００９１】
以上のように構成されたワイヤーハーネス保護部材１２０及び保護部材付ワイヤーハーネス１１０によると、上記第１実施形態と同様に、ワイヤーハーネス保護部材１２０は、半筒状部１３０と板状部１４０との分割構造とされており、半筒状部１３０の開口を板状部１４０で塞ぐように、半筒状部１３０に板状部１４０を取付けた状態で、ワイヤーハーネス保護部材１２０は、主として、半筒状部１３０の軸方向を通りかつ板状部１４０と直交する一主面内で容易に曲ることができる。
【００９２】
また、ワイヤーハーネス１２を、半筒状部１３０の収容空間内一杯に収容した状態でも、ワイヤーハーネス１２は半筒状部１３０からはみ出し難く、従って、ワイヤーハーネス１２を半筒状部１３０と板状部１４０との間で挟込み難い。このため、収容に適したワイヤーハーネス１２の太さ（電線の本数）を、半筒状部１３０と板状部１４０との間の収容空間と同程度とすることが可能となり、収容空間の無駄スペースを削除して、構成のコンパクト化を図ることができ、また、質量低減も可能となる。
【００９３】
勿論、半筒状部１３０の内部空間よりも、ワイヤーハーネス１２の太さの方が小さくてもよい。
【００９４】
また、ロック突部１４６は、板状部１４０の側縁部から外方にはみ出るように突出しているため、当該ロック突部１４６を含むロック部１４４を、板状部１４０の両面を形成するための金型によって容易に金型成型できる。このため、板状部１４０を、スライド金型等を用いなくても比較的簡易な構成の金型装置によって金型成型できる。
【００９５】
また、半筒状部１３０のうち板状縁部１３９にロック孔部１３８が形成されているため、板状縁部１３９と板状部１４０の側縁部とを重ね合せることで、それらの間からの砂塵等の侵入を有効に抑制することができる。
【００９６】
また、被ロック部がロック孔部１３８として形成されているため、ロック部１４４がロック孔部１３８から抜け難いという利点もある。
【００９７】
また、板状縁部１３９は、蛇腹形状部分１３１の両側縁部から外方に延出するように形成されているため、当該板状縁部１３９のうち蛇腹形状部分１３１において細くなる部分を比較的幅広に形成できる。そこで、ロック孔部１３８を、当該板状縁部１３９のうち蛇腹形状部分１３１において細くなる部分に形成することで、板状縁部１３９をなるべく細幅に形成しつつ、ロック孔部１３８を、ロック部１４４が係止するのに十分な大きさとすることができ、ワイヤーハーネス保護部材１２０の小型化が可能となる。
【００９８】
また、板状部１４０の側縁部は、ロック部１４４が設けられていない部分がロック部１４４が設けられた部分よりも外方に延出する凹凸形状に形成されているため、半筒状部１３０の側縁部に設けられた板状縁部１３９と板状部１４０の側縁部とをなるべく多くの領域で重ね合せて、それらの間からの砂塵等の侵入を抑制することができる。
【００９９】
｛変形例｝
なお、第１実施形態における板状部４０と第２実施形態における半筒状部１３０とが組合わされてもよいし、第１実施形態における半筒状部３０と第２実施形態における板状部１４０とが組合わされてもよい。
【０１００】
なお、上記各実施形態では、半筒状部３０、１３０と、板状部４０、１４０とが、ロック部４４、１４４とロック孔部３８、１３８との係止構造によって組合わされる例で説明したが、必ずしもそのような構成である必要はない。半筒状部と板状部との合体状態が、粘着テープ、結束バンド等によって維持される構成であってもよい。
【０１０１】
また、上記各実施形態では、半筒状部３０、１３０にロック孔部３８、１３８が設けられ、板状部４０、１４０にロック孔部３８、１３８が設けられる例で説明したが、これらとは逆にロック孔部が板状部に設けられていてもよい。ロック部４４が半筒状部に設けられていてもよい。
【０１０２】
また、上記各実施形態では、被ロック部としてロック孔部３８、１３８が形成される例で説明したが、上記ロック部４４、１４４のロック突部４６、１４６が係止可能な形状であれば、単なる板状縁部形状、板状の縁部が凹状に凹む部分が被ロック部として形成されていてもよい。
【０１０３】
また、各実施形態では、半筒状部３０、１３０の両側縁部及び板状部４０、１４０の両側縁部に、ロック部４４、１４４又はロック孔部３８、１３８が設けられる例で説明したが、半筒状部の一側縁部と板状部の一側縁部とがヒンジ部によって連結されていてもよい。ヒンジ部は、半筒状部と板状部とをその一側縁部同士を連結した一体部品とし、それらの連結部を薄手に形成すること等によって形成することができる。
【０１０４】
なお、上記各実施形態及び各変形例で説明した各構成は、相互に矛盾しない限り適宜組合わせることができる。
【０１０５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１０６】
１０  保護部材付ワイヤーハーネス
１２  ワイヤーハーネス
２０、１２０  ワイヤーハーネス保護部材
３０、１３０  半筒状部
１３１  蛇腹形状部分
３８、１３８  ロック孔部
１３９  板状縁部
４０、１４０  板状部
１４１  凹部
４４、１４４  ロック部
４５、１４５  ロック延出部
４６、１４６  ロック突部
【図１】
2015122927.tif 000003
【図２】
2015122927.tif 000004
【図３】
2015122927.tif 000005
【図４】
2015122927.tif 000006
【図５】
2015122927.tif 000007
【図６】
2015122927.tif 000008
【図７】
2015122927.tif 000009
【図８】
2015122927.tif 000010
【図９】
2015122927.tif 000011
【図１０】
2015122927.tif 000012
【図１１】
2015122927.tif 000013
【図１２】
2015122927.tif 000014
【図１３】
2015122927.tif 000015
【図１４】
2015122927.tif 000016